(57)【要約】      （修正有）【課題】住宅への設置が容易であり、軽量で設置のための組立及び解体も容易であり、安価であって、冷房や暖房の効率を上げることのできる間仕切りを提供する。【解決手段】既存の住宅内の部屋に組み立てて配置される間仕切りであって、部屋に固定される間仕切り用支柱１１、間仕切り用支柱１１に固定される間仕切り壁１０、レール、レールに開閉可能に吊るされるカーテン１４を備える。間仕切り壁１０は、部屋４０の既存の壁４０ｃと離間して配置されて壁４０ｃとで断熱層を形成する。間仕切り壁１０、カーテン１４、既存の住宅の床、天井、及び／又は壁４０ｃにより、部屋内に、部屋よりも小さい断熱性のある別の新たな間仕切り部屋３０が形成される。【選択図】図２
2013032647.tif 000002
【特許請求の範囲】
【請求項１】
既存の住宅内の部屋に組み立てて配置される間仕切りであって、
前記既存の部屋の既存の床と天井間に圧接状態で固定可能な第１の間仕切り用支柱と、
前記既存の部屋の既存の壁間、２つの前記第１の間仕切り用支柱間、前記既存の壁と前記第１の間仕切り用支柱との間の少なくとも１つの間に圧接状態で固定可能な第２の間仕切り用支柱と、
前記第１及び第２の間仕切り用支柱に対して固定される間仕切り壁であって、前記既存の部屋の既存の壁と離間して配置されて前記既存の壁とで断熱層を形成する間仕切り壁と、
前記第１の間仕切り用支柱、前記第２の間仕切り用支柱、前記既存の天井の少なくとも１つに固定されるレールと、
上端及び下端が前記既存の床及び天井と同じレベルに位置するように前記レールに吊るされ、水平方向に伸縮可能なカーテンと、を備え、
前記間仕切り壁、前記カーテン、前記既存の床、前記既存の天井、及び／又は前記既存の壁により、前記既存の部屋内に、前記既存の部屋よりも小さく且つ断熱性のある別の新たな間仕切り部屋が形成される
間仕切り。
【請求項２】
前記間仕切りは、外気と接する壁を少なくとも１つ有する既存の部屋に配置される
請求項１に記載の間仕切り。
【請求項３】
前記カーテンは、前記既存の部屋の出入口、窓、収納の少なくとも１つに対応する位置に配置され、前記カーテンを伸縮させることで、前記間仕切り部屋の外に位置する前記既存の部屋の出入口、窓、収納の少なくとも１つに前記間仕切り部屋から到達可能である
請求項１または２に記載の間仕切り。
【請求項４】
前記間仕切り壁は、
透光性及び遮熱性を有する紙製の透光性遮熱シートと、
遮熱性を有する遮熱パネルと、を含み、
前記カーテンは、遮熱性を有する遮熱シートからなる
請求項１乃至３のいずれかに記載の間仕切り。
【請求項５】
前記第１及び第２の間仕切り用支柱は、伸縮自在であり、
前記間仕切りは、前記第１及び第２の間仕切り用支柱を伸縮させることで取り外し可能である
請求項１乃至４のいずれかに記載の間仕切り。
【請求項６】
前記レールは、曲線状に敷設され、
前記レールに取り付けられた前記カーテンは、前記間仕切り部屋の壁の一部を構成し、
前記カーテンを伸縮させることで、前記間仕切り部屋の外に位置する前記既存の部屋の出入口、窓、収納の少なくとも１つの開閉操作が可能である
請求項１乃至５のいずれかに記載の間仕切り。
【請求項７】
前記間仕切り部屋の外に位置する前記既存の部屋の窓に対応する位置に配置されるように前記第１及び第２の間仕切り用支柱、前記間仕切り壁の少なくとも１つに固定され、開閉可能な窓部を含む窓用開口部材をさらに備えた
請求項１乃至６のいずれかに記載の間仕切り。
【発明の詳細な説明】
【技術分野】
【０００１】
本発明は、間仕切りに関し、特に既存の住宅の中で用いられる間仕切りに関する。
【背景技術】
【０００２】
外壁断熱の不十分な建物、特に住宅において、例えば、真夏時の直射日光による室内の温度上昇は耐えがたいものがあり、そのために冷房を余儀なくされるが、あまりにも負荷が大きすぎて十分に冷房の効果が上がらないばかりか、無駄な電力を消費していることになる。従来、一般的な日本の住宅においては、夏の冷房や冬の暖房効果を上げるために、外壁の断熱を強化したり、ガラス窓を二重あるいは三重にしたり、ガラス窓に遮熱フィルムを張付けるなど行ってガラス窓の断熱性能を上げたり、カーテンを厚手のものにするなどの工夫をしてきた。しかしながら、これらの改修や工夫は、その効果が部分的なもので小さかったり、或いは非常に費用の掛かるものであって実施が容易でなかった。例えば、既存の家を全面的な断熱構造体へ改造することは多額の費用と工期を要し困難であった。
【０００３】
また、工場や事務所などの間仕切りに使われる部材は、支柱であってもパネルであっても大きなものであり、かつ本格的な工事を必要とし、これらを住宅の中に個人で簡単にとりつけられるセットとして持ち込むことは出来なかった。
【先行技術文献】
【特許文献】
【０００４】
【特許文献１】特開平８−３０２８６８号公報
【特許文献２】特開平１１−２８０１８１号公報
【特許文献３】実用新案登録第３１１８７１１号公報
【発明の概要】
【発明が解決しようとする課題】
【０００５】
特許文献１には、紙を用いた間仕切りが示されている、しかしながら、この間仕切りは、ハニカム構造になっているため採光が不十分である。また、この間仕切りは、展示会用であって、天井や床と接合させる支柱や横に使う梁も住宅用としてはなんら考慮されていない。したがって、この間仕切りは、出入口や戸棚の開閉など、生活用の壁としては使用出来ず、住宅には不向きである。
【０００６】
特許文献２には、剛性の高い間仕切りが示されている。しかしながら、この間仕切りを住宅に用いることは極めて困難である。また、特許文献２は、効果的な空間利用のための金属パネルを使った間仕切り方に関するものであり、このような間仕切りは、断熱性、採光性、吸湿性が十分とは言えない。
【０００７】
特許文献３では、パネルとアコーデオンカーテンで構成された間仕切りが示されている。しかしながら、この間仕切りは、支柱を床にねじで固定するようになっており、床が畳である部屋などに設置するのには適さず、また床が板であってもねじにより板床が傷付いてしまう。
【０００８】
本発明は、住宅への設置が容易であり、軽量で設置のための組立及び解体も容易であり、安価であって、冷房や暖房の効率を上げることのできる間仕切りを提供することを目的とする。
【課題を解決するための手段】
【０００９】
本発明の一実施形態は、既存の住宅内の部屋に組み立てて配置される間仕切りであって、前記既存の部屋の既存の床と天井間に圧接状態で固定可能な第１の間仕切り用支柱と、前記既存の部屋の既存の壁間、２つの前記第１の間仕切り用支柱間、前記既存の壁と前記第１の間仕切り用支柱との間の少なくとも１つの間に圧接状態で固定可能な第２の間仕切り用支柱と、前記第１及び第２の間仕切り用支柱に対して固定される間仕切り壁であって、前記既存の部屋の既存の壁と離間して配置されて前記既存の壁とで断熱層を形成する間仕切り壁と、前記第１の間仕切り用支柱、前記第２の間仕切り用支柱、前記既存の天井の少なくとも１つに固定されるレールと、上端及び下端が前記既存の床及び天井と同じレベルに位置するように前記レールに吊るされ、水平方向に伸縮可能なカーテンと、を備え、前記間仕切り壁、前記カーテン、前記既存の床、前記既存の天井、及び／又は前記既存の壁により、前記既存の部屋内に、前記既存の部屋よりも小さく且つ断熱性のある別の新たな間仕切り部屋が形成される間仕切りであることを特徴とする。
【００１０】
また、前記間仕切りは、外気と接する壁を少なくとも１つ有する既存の部屋に配置されてもよい。
【００１１】
また、前記カーテンは、前記既存の部屋の出入口、窓、収納の少なくとも１つに対応する位置に配置され、前記カーテンを伸縮させることで、前記間仕切り部屋の外に位置する前記既存の部屋の出入口、窓、収納の少なくとも１つに前記間仕切り部屋から到達可能であってもよい。
【００１２】
また、前記間仕切り壁は、透光性及び遮熱性を有する紙製の透光性遮熱シートと、遮熱性を有する遮熱パネルと、を含み、前記カーテンは、遮熱性を有する遮熱シートからなってもよい。
【００１３】
また、前記第１及び第２の間仕切り用支柱は、伸縮自在であり、前記間仕切りは、前記第１及び第２の間仕切り用支柱を伸縮させることで取り外し可能であってもよい。
【００１４】
また、前記レールは、曲線状に敷設され、前記レールに取り付けられた前記カーテンは、前記間仕切り部屋の壁の一部を構成し、前記カーテンを伸縮させることで、前記間仕切り部屋の外に位置する前記既存の部屋の出入口、窓、収納の少なくとも１つの開閉操作が可能であってもよい。
【００１５】
また、前記間仕切り部屋の外に位置する前記既存の部屋の窓に対応する位置に配置されるように前記第１及び第２の間仕切り用支柱、前記間仕切り壁の少なくとも１つに固定され、開閉可能な窓部を含む窓用開口部材をさらに備えてもよい。
【発明の効果】
【００１６】
本発明の実施形態によれば、既存の部屋の中の新たな部屋である間仕切り部屋は、一定の空気層を隔てて既存の部屋の壁から独立して設けられているため、外気の影響を受けることが極めて少なく、また、間仕切り部屋の空間が既存の部屋よりも小さいため、冷房や暖房の効率、効果を著しく高めることが出来る。
【００１７】
また、支柱（第１の間仕切り用支柱）や梁（第２の間仕切り用支柱）を伸縮自在に形成することにより、間仕切り部屋の形状や大きさの設定が自由で、従来の生活形態を変えることなく構成することが可能である。
【００１８】
また、春季あるいは秋季において、間仕切り部屋が一時的に不必要になったときには、既存の部屋の天井や床を傷めることなく、高齢者や子供でも付属の専用工具、或いは一般的な工具を用いて間仕切り部屋を簡単に解体して取り外すことが出来る。
【００１９】
また、間仕切り部屋の周囲に間仕切り壁と既存の部屋の壁との間の空気の断熱層を有しているので、間仕切り部屋の壁を構成するカーテンやシートは、採光性がよく断熱性のある比較的安価な材料を自由に選択出来る。
【図面の簡単な説明】
【００２０】
【図１】本発明の実施形態に係る、既存の住宅の部屋に設置した間仕切りを示す図である。
【図２】本発明の実施形態に係る間仕切りを既存の住宅の部屋に設置した状態の平面図である。
【図３】本発明の実施形態に係る間仕切りを図２とは異なる既存の住宅の部屋に設置した状態の平面図である。
【図４】本発明の実施形態に係る、既存の住宅の部屋の出入口付近に設置した間仕切りを示す図である。
【図５】本発明の実施形態に係る、既存の住宅の部屋の収納付近に設置した間仕切りを示す図である。
【図６】本発明の実施形態に係る間仕切りの設置方法を示す説明図である。
【図７】本発明の実施形態に係る間仕切りの設置方法を示す説明図である。
【図８】本発明の実施形態に係る間仕切りの設置方法を示す説明図である。
【図９】本発明の実施形態に係る間仕切りの設置方法を示す説明図である。
【図１０】本発明の実施形態に係る間仕切りの間仕切り用支柱の側面図である。
【図１１】本発明の実施形態に係る間仕切りの間仕切り用支柱の床付近部分の拡大図である。
【図１２】本発明の実施形態に係る、既存の住宅の部屋の窓付近に設置した間仕切りの変形例を示す図である。
【発明を実施するための形態】
【００２１】
以下、本発明の実施形態について図面を参照して詳細に説明する。
【００２２】
本発明の実施形態に係る間仕切り１について、図１乃至図１２を参照して説明する。図１は、既存の住宅の部屋４０に設置した間仕切り１を示す図である。図２は、間仕切り１を既存の住宅の部屋４０に設置した状態の平面図である。図３は、間仕切り１を図２とは異なる構成の既存の住宅の部屋４０に設置した状態の平面図である。図４は、既存の住宅の部屋４０の出入口４０ｈ付近に設置した間仕切り１を示す図である。図５は、既存の住宅の部屋４０の収納５０ｃ付近に設置した間仕切り１を示す図である。図６乃至図９は、間仕切り１の設置方法を示す説明図である。図１０は、間仕切り１の間仕切り用支柱１１の側面図である。図１１は、間仕切り１の間仕切り用支柱１１の床４０ａ付近部分の拡大図である。図１２は、既存の住宅の部屋４０の窓４０ｆ付近に設置した間仕切り１の変形例を示す図である。
【００２３】
図１に示すように、既存の住宅の部屋４０内に間仕切り１が組み立てて設置され、間仕切り１、既存の床４０ａ、既存の天井４０ｂ、既存の壁４０ｃ（既存の柱も含む）によって囲まれた断熱性、気密性の高い、既存の部屋４０とは別の間仕切り部屋３０が形成されている。間仕切り部屋３０は、既存の部屋４０の内側に設置されているため、既存の部屋４０より体積が小さい。また、図２及び図３に示すように、離間距離Ｄだけ離して配置された間仕切り１と既存の部屋４０の壁４０ｃ或いは窓４０ｆとの間には空気層３１が設けられており、この空気層３１が断熱層の役割を果たす。このため、間仕切り部屋３０の中をエアコン５０ａにより冷房又は暖房することにより、同じ温度であれば既存の部屋４０よりも消費電力を抑えて効率良く冷暖房することができる。図１に示すように、間仕切り部屋３０は、人７０が生活可能な空間となっている。また、間仕切り１は容易に解体が可能であり、使用しないときは物置や倉庫へ収納したりすることができる。また、間仕切り１は、多くが軽い材料でできており、全体的にも軽量であり、安価なものとなっている。
【００２４】
図１乃至図１１に示すように、間仕切り１は、間仕切り壁１０と、間仕切り用支柱１１と、窓用開口部材１２と、間仕切りカーテン伸縮式レール１３と、遮熱シート１４とを備える。
【００２５】
間仕切り用支柱１１は、既存の住宅の部屋４０の既存の床４０ａと天井４０ｂとの間や、既存の壁４０ｃ間や、縦に設置した２つの間仕切り用支柱１１間や、既存の壁４０ｃと間仕切り用支柱１１との間に圧接状態で固定されるようになっている。
【００２６】
間仕切り用支柱１１は、図６に示すように、その長手方向（図中の矢印方向）に伸縮自在となっている。図１０及び図１１に示すように、間仕切り用支柱１１は、柱本体１１ａと、柱本体１１ａの下部の内部に形成された孔であるボルト収納部１１ｈに移動可能に収容された下側ボルト１１ｂと、下側ボルト１１ｂの柱本体１１ａとは反対側に固定された下側固定ナット１１ｅと、下側固定ナット１１ｅに固定され且つ既存の床４０ａの固定される座板１１ｄと、下側ボルト１１ｂに螺合する下側締付ナット１１ｆとを備える。また、間仕切り用支柱１１は、柱本体１１ａの上端部に固定された上側ボルト１１ｃと、上側ボルト１１ｃに固定された上側ナット１１ｇとを備える。下側締付ナット１１は、下側ボルト１１ｂに螺合することで、柱本体１１ａの下端と接触して、柱本体１１ａの下側ボルト１１ｂに対する位置を可変させる。つまり、例えば、間仕切り用支柱１１を部屋４０の既存の床４０ａと天井４０ｂとの間に設置する際、間仕切り用支柱１１の上側ボルト１１ｃを天井４０ｂに突き当てた状態で、下側ボルト１１ｂの位置を上側に移動させることにより柱本体１１ａを上側に移動させることができ、その結果、間仕切り用支柱１１を部屋４０の既存の床４０ａと天井４０ｂとの間に圧接状態で固定できるようになっている。また、解体の際は、下側ボルト１１ｂの位置を下側に移動させて柱本体１１ａを下側に移動させ、間仕切り用支柱１１の圧接状態を解除すればよい。なお、本実施形態に係る柱本体１１ａは、断面矩形形状の直方体としたが、本発明はこれに限定されず、断面円形状や断面６角形状等の棒体であってもよい。また、座板１１ｄの形状も特に限定されず、矩形状、円形状、三角形状、６角形状等、様々な形状の板材を用いることができる。また、柱本体１１ａの上端も、下端と同様に、ボルト収納部等を設けて、間仕切り用支柱１１を伸縮可能とするような機構を備えるようにしてもよい。この場合には、間仕切り用支柱１１の両端で長さ調整が可能となる。
【００２７】
間仕切り壁１０は、既存の床４０ａ及び天井４０ｂ付近に配置される遮熱性を有する遮熱ファインボード（遮熱パネル）１０ｂと、上下に配置された遮熱ファインボード１０ｂの間に配置される透光性及び遮熱性を有する透光性遮熱シート１０ａとを備える。本実施形態に係る透光性遮熱シート１０ａは、紙製であるが、本発明はこれに限定されない。また、本実施形態の透光性遮熱シート１０ａ及び遮熱ファインボード１０ｂは、はさみやカッターで容易に切断可能にできている。間仕切り壁１０は、間仕切り用支柱１１によって支持される。
【００２８】
図８に示すように、窓用開口部材１２は、間仕切り部屋３０の外に位置する既存の部屋４０の窓４０ｆに面する（対向する、対応する）位置に配置されるように間仕切り用支柱１１、間仕切り壁１０の少なくとも１つに固定される。固定の仕方は特に限定されないが、例えば、上下に配置された遮熱ファインボード１０ｂの接着部１５に両面テープ１６を貼付又は接着剤を塗布し、そこに窓用開口部材１２を押し当てることで行う。また、窓用開口部材１２は、開閉可能な窓部を含んで、この窓部を開けることで、既存の窓４０ｆを開ける開閉操作ができるようになっている。なお、窓用開口部材１２は、ビスやねじ、クリップ等で固定してもよい。
【００２９】
窓用開口部材１２の代わりに、図１２に示すような構成としてもよい。窓用開口部材１２Ａは、水平方向に上下に配置された窓枠間仕切り用支柱２０と、上下の窓枠間仕切り用支柱２０の間に配置されて開閉可能な紙製の窓部を備える。窓枠間仕切り用支柱２０は、間仕切り用支柱１１、間仕切り壁１０等に固定される。
【００３０】
図２乃至図５に示すように、間仕切りカーテン伸縮式レール１３は、間仕切り壁１０間や、２つの間仕切り用支柱１１間や、間仕切り用支柱１１や、既存の天井４０ｂに固定される。本実施形態では、間仕切りカーテン伸縮式レール１３を天井４０ｂに近接して配置して、間仕切りカーテン伸縮式レール１３に吊るした遮熱シート１４の上端部が天井４０ｂと当接或いは近接して配置されるようになっている。なお、間仕切りカーテン伸縮式レール１３は天井４０ｂからある程度離して、人７０の手の届く高さに配置してもよい。この場合には、例えば、間仕切りカーテン伸縮式レール１３は、レール自体に相対移動可能な移動体に上方へ天井４０ｂ近くまで延びるプレート状の部材を備えて、この部材に遮熱シート１４を取り付けて、遮熱シート１４の上端部が天井４０ｂと当接或いは近接して配置されるようにしてもよい。
【００３１】
遮熱シート１４は、遮熱性を有し、図４及び５に示すように水平方向（図中の矢印方向）に伸縮可能となっている。遮熱シート１４は、上端及び下端が既存の床４０ａ及び天井４０ｂと同じ高さレベルに位置するように、間仕切りカーテン伸縮式レール１３に吊るされる。間仕切りカーテン伸縮式レール１３及び遮熱シート１４は、既存の部屋４０の出入口４０ｈ、窓４０ｆ、収納５０ｃ等に面する（対向する、対応する）位置に配置され、遮熱シート１４を伸縮させることで、人７０は、間仕切り部屋３０の外に位置する既存の部屋４０の出入口４０ｈ、窓４０ｆ、収納５０ｃに間仕切り部屋３０から到達可能となっている。出入口４０ｈについては、第１の部屋４１である間仕切り部屋３０から、隣の部屋である第２の部屋４２に、遮熱シート１４を開くことで行き来できるようになっている。
【００３２】
次に、上記のような構成をもつ間仕切り１の設置・組立、解体方法の１例を説明する。まず、間仕切り用支柱１１の縦向き設置の際には、間仕切り用支柱１１の上側ボルト１１ｃを天井４０ｂに突き当てた状態で、下側ボルト１１ｂの位置を上側に移動させることにより柱本体１１ａを上側に移動させて図６中の矢印の方向に間仕切り用支柱１１を伸張させ、間仕切り用支柱１１を部屋４０の既存の床４０ａと天井４０ｂとの間に圧接状態で固定する。次に、間仕切り用支柱１１の横向き設置の際には、間仕切り用支柱１１の上側ボルト１１ｃを既に床４０ａと天井４０ｂとの間に固定した間仕切り用支柱１１に突き当てた状態で、下側ボルト１１ｂの位置を上側（柱本体１１ａ側）に移動させることにより柱本体１１ａを上側（突き当てた側）に移動させて図６中の矢印の方向に間仕切り用支柱１１を伸張させ、間仕切り用支柱１１を既に床４０ａと天井４０ｂとの間に固定した２つの間仕切り用支柱１１の間に圧接状態で固定する。解体の際は、下側ボルト１１ｂの位置を下側に移動させて柱本体１１ａを下側に移動させ図中の矢印の方向に間仕切り用支柱１１を縮収させ、間仕切り用支柱１１の圧接状態を解除する。
【００３３】
次に、図７に示すように、固定した間仕切り用支柱１１に対して遮熱ファインボード１０ｂを上下に配置して接着剤や両面テープ１６、ねじやビス、クリップで固定する。このとき、既存の床４０ａと遮熱ファインボード１０ｂとの間、既存の天井４０ｂと遮熱ファインボード１０ｂとの間、遮熱ファインボード１０ｂどうしの間に隙間が開かないようにして気密性を保つようにする。既存の部屋４０に梁４０ｅがある場合は、梁４０ｅの形状に合わせて遮熱ファインボード１０ｂをカッター等で切断し、気密性を保つようにする。
【００３４】
次に、図８に示すように、上下に配置した遮熱ファインボード１０ｂの間に、窓用開口部材１２や１２Ａ、透光性遮熱シート１０ａを、両面テープ１６や接着剤、ビス、ねじ、クリップ等により固定する。本実施形態では、接着部１５に両面テープ１６を貼付する方法としているが、これには限定されない。
【００３５】
図９に示すように、間仕切りカーテン伸縮式レール１３を既存の部屋４０の出入口４０ｈに面する位置に配置して固定する。そして、固定した間仕切りカーテン伸縮式レール１３に、遮熱シート１４を吊る。予め遮熱シート１４を吊るした間仕切りカーテン伸縮式レール１３を取り付けるようにしてもよい。図９では、間仕切りカーテン伸縮式レール１３及び遮熱シート１４を既存の部屋４０の出入口４０ｈに面する位置に配置する例が示されているが、既存の部屋４０の窓４０ｆ、収納５０ｃ等に面する位置にも配置することができる。このようにして、間仕切り１の既存の部屋４０への設置が完了する。本発明の実施形態に係る間仕切り１は、例えば、脚立とドライバー１本、必要に応じてカッターだけで組み立てることができる。或いは、脚立もドライバーも使用せずに設置することができる。
【００３６】
間仕切り１の解体は、上記の設置・組立方法の逆を行えば良い。間仕切り用支柱１１、間仕切りカーテン伸縮式レール１３、遮熱シート１４は、解体後も再利用可能である。透光性遮熱シート１０ａ、遮熱ファインボード１０ｂ、窓用開口部材１２は、ねじやビス、クリップ等で取り付けられている場合は、取り外し後も再度利用することができる。また、透光性遮熱シート１０ａ、遮熱ファインボード１０ｂ、窓用開口部材１２は安価なため、接着剤、両面テープ等で取り付けられて、解体後に再利用できない場合でも、経済的負担は小さい。解体後に、透光性遮熱シート１０ａ、遮熱ファインボード１０ｂ、窓用開口部材１２を、接着等により劣化した箇所のみ切断して切り離し、残りの部分を再使用するようにしてもよい。
【００３７】
次に、上記のような構成をもつ間仕切り１の配置例を説明する。図２は、本発明の実施形態に係る間仕切り１を既存の住宅の部屋４０に設置した第１例の平面図である。既存の住宅の部屋４０は、８畳の部屋であり、床４０ａ、天井４０ｂ、壁４０ｃ（柱含む）、梁４０ｅ（図７参照）、窓４０ｆ、扉４０ｇ、開口部（出入口）４０ｈ、押入れ４０ｉ、畳４０ｊを備える。また、既存の住宅の部屋４０には、エアコン５０ａ、たんす（収納）５０ｂ、本棚（収納）５０ｃ、テレビ５０ｄが配置されている。
【００３８】
上記のような既存の部屋４０に、間仕切り１の間仕切り壁１０、間仕切り用支柱１１、窓用開口部材１２、１２Ａ、間仕切りカーテン伸縮式レール１３（図４、５参照）、遮熱シート１４が設置されており、間仕切り壁１０、窓用開口部材１２、１２Ａ、遮熱シート１４及び既存の床４０ａ、天井４０ｂ、壁４０ｃにより、既存の部屋４０より小さい体積の断熱性、気密性の高い間仕切り部屋３０が形成されている。間仕切り１の間仕切り壁１０は、図２に示すように、既存の部屋４０の壁４０ｃと離間距離Ｄだけ離して配置されている。離間距離Ｄは、例えば、１０〜５０ｃｍとするが、これには限定されない。既存の部屋４０の壁４０ｃと間仕切り１との間にできた空気層により断熱層が形成されており、壁４０ｃの外側の外気の間仕切り部屋３０内への影響が少なく、間仕切り部屋３０の断熱性が高く保たれる。また、間仕切り部屋３０は、既存の部屋４０よりも体積が小さいので、その分、例えばエアコン５０aによる冷暖房の効率が上がり、節電及び電気代の低減につながる。間仕切り１の間仕切り壁１０は、エアコン５０ａの風が間仕切り部屋３０内に吹き込むように配置されている。窓用開口部材１２、１２Ａは、窓４０ｆに対応する箇所に配置されており、窓用開口部材１２、１２Ａの窓部を開くことにより、人７０は、窓４０ｆの開閉操作を行うことができるようになっている。間仕切りカーテン伸縮式レール１３及び遮熱シート１４は、図２に示すように、扉４０ｇ、開口部（出入口）４０ｈ、押入れ４０ｉ、たんす（収納）５０ｂ、本棚（収納）５０ｃに対応する箇所に配置されており、遮熱シート１４を縮収させて開くことにより、人７０は扉４０ｇ、開口部（出入口）４０ｈ、押入れ４０ｉ、たんす（収納）５０ｂ、本棚（収納）５０ｃに到達できるようになっている。用事が終わったら遮熱シート１４を伸張させて閉じて、間仕切り部屋３０の気密性を確保する。なお、窓４０ｆに対応する箇所に、窓用開口部材１２、１２Ａの代わりに、間仕切りカーテン伸縮式レール１３及び遮熱シート１４を設けるようにしてもよい。このため、壁４０ｃに面した窓４０ｆや収納である押入れ４０ｉ、たんす（収納）５０ｂ、本棚（収納）５０ｃ等の扉の開閉操作も容易となっている。このような構成により、既存の部屋４０に間仕切り部屋３０を設けても、従来の生活スタイルを大幅に変える必要がない。
【００３９】
次に、上記のような構成をもつ間仕切り１の別の配置例を説明する。図３は、本発明の実施形態に係る間仕切り１を既存の住宅の部屋４０に設置した第２例の平面図である。既存の住宅の部屋４０は、６畳の部屋であり、床４０ａ、天井４０ｂ、壁４０ｃ（柱含む）、梁４０ｅ（図７参照）、窓４０ｆ、扉４０ｇ、開口部（出入口）４０ｈ、畳４０ｊを備える。また、既存の住宅の部屋４０には、エアコン５０ａ、たんす（収納）５０ｂ、本棚（収納）５０ｃ、テレビ５０ｄが配置されている。
【００４０】
既存の部屋４０に、間仕切り１の間仕切り壁１０、間仕切り用支柱１１、窓用開口部材１２、１２Ａ、間仕切りカーテン伸縮式レール１３（図４、５参照）、遮熱シート１４が設置されており、間仕切り壁１０、窓用開口部材１２、１２Ａ、遮熱シート１４及び既存の床４０ａ、天井４０ｂ、壁４０ｃにより、既存の部屋４０より小さい体積の断熱性、気密性の高い間仕切り部屋３０が形成されている。間仕切り１の間仕切り壁１０は、図３に示すように、既存の部屋４０の壁４０ｃと離間距離Ｄだけ離して配置されている。離間距離Ｄは、例えば、１０〜５０ｃｍとするが、これには限定されない。既存の部屋４０の壁４０ｃと間仕切り１との間にできた空気層により断熱層が形成されており、壁４０ｃの外側の外気の間仕切り部屋３０内への影響が少なく、間仕切り部屋３０の断熱性が高く保たれる。また、間仕切り部屋３０は、既存の部屋４０よりも体積が小さいので、その分、例えばエアコン５０aによる冷暖房の効率が上がり、節電及び電気代の低減につながる。間仕切り１の間仕切り壁１０は、エアコン５０ａの風が間仕切り部屋３０内に吹き込むように配置されている。窓用開口部材１２、１２Ａは、窓４０ｆに対応する箇所に配置されており、窓用開口部材１２、１２Ａの窓部を開くことにより、人７０は、窓４０ｆの開閉操作を行うことができるようになっている。間仕切りカーテン伸縮式レール１３及び遮熱シート１４は、図３に示すように、扉４０ｇ、開口部（出入口）４０ｈ、たんす（収納）５０ｂ、本棚（収納）５０ｃに対応する箇所に配置されており、遮熱シート１４を縮収させて開くことにより、人７０は扉４０ｇ、開口部（出入口）４０ｈ、たんす（収納）５０ｂ、本棚（収納）５０ｃに到達できるようになっている。用事が終わったら遮熱シート１４を伸張させて閉じて、間仕切り部屋３０の気密性を確保する。図３では、開口部（出入口）４０ｈ、本棚（収納）５０ｃに対応する箇所に設置された間仕切りカーテン伸縮式レール１３は、曲線状に敷設されている。窓４０ｆに対応する箇所の間仕切りカーテン伸縮式レール１３に対してこのような構成を適用してもよい。なお、窓４０ｆに対応する箇所に、窓用開口部材１２、１２Ａの代わりに、間仕切りカーテン伸縮式レール１３及び遮熱シート１４を設けるようにしてもよい。このため、壁４０ｃに面した窓４０ｆや収納であるたんす（収納）５０ｂ、本棚（収納）５０ｃ等の扉の開閉操作も容易となっている。このような構成により、既存の部屋４０に間仕切り部屋３０を設けても、従来の生活スタイルを大幅に変える必要がない。
【００４１】
本発明の実施形態によれば、既存の部屋４０の中の新たな部屋である間仕切り部屋３０は、一定の空気層３１を隔てて既存の部屋４０の壁４０ｃから独立して設けられているため、外気の影響を受けることが極めて少なく、また、間仕切り部屋３０の空間が既存の部屋４０よりも小さいため、冷房や暖房の効率、効果を著しく高めることが出来る。
【００４２】
また、支柱（間仕切り用支柱１１）や梁（間仕切り用支柱１１）を伸縮自在に形成することにより、間仕切り部屋３０の形状や大きさの設定が自由で、従来の生活形態を変えることなく構成することが可能である。
【００４３】
また、春季あるいは秋季において、間仕切り部屋３０が一時的に不必要になったときには、既存の部屋４０の床４０ａや天井４０ｂを傷めることなく、高齢者や子供でも付属の専用工具、或いは一般的な工具を用いて間仕切り部屋３０を簡単に解体して取り外すことが出来る。
【００４４】
また、間仕切り部屋３０の周囲に間仕切り壁１０と既存の部屋４０の壁４０ｃとの間の空気の断熱層３１を有しているので、間仕切り部屋３０の壁を構成する透光性遮熱シート１０ａや遮熱シート１４は、採光性がよく断熱性のある比較的安価な材料を自由に選択出来る。
【００４５】
以上、本発明の実施形態について説明したが、本発明は上記実施形態に限定されず、種々の変形が可能である。
【符号の説明】
【００４６】
１    間仕切り
１０  間仕切り壁
１０ａ  透光性遮熱シート
１０ｂ  遮熱ファインボード（遮熱パネル）
１１  間仕切り用支柱（第１の間仕切り用支柱、第２の間仕切り用支柱）
１１ａ  柱本体
１１ｂ  下側ボルト
１１ｃ  上側ボルト
１１ｄ  座板
１１ｅ  下側固定ナット
１１ｆ  下側締付ナット
１１ｇ  上側ナット
１１ｈ  ボルト収納部
１２  窓用開口部材
１３  間仕切りカーテン伸縮式レール（レール）
１４  遮熱シート（カーテン）
１５  接着部
１６  両面テープ
２０  窓枠間仕切り用支柱
３０  間仕切り部屋
３１  空気層（断熱層）
４０  部屋
４０ａ  床（既存）
４０ｂ  天井（既存）
４０ｃ  壁（既存）
４０ｅ  梁（既存）
４０ｆ  窓（既存）
４０ｇ  扉（既存）
４０ｈ  開口部（出入口）（既存）
４０ｉ  押入れ（既存）
４０ｊ  畳（既存）
４１  第１の部屋
４２  第２の部屋
５０ａ  エアコン（既存）
５０ｂ  たんす（収納）（既存）
５０ｃ  本棚（収納）（既存）
５０ｄ  テレビ（既存）
７０  人
Ｄ  離間距離
【図１】
2013032647.tif 000003
【図２】
2013032647.tif 000004
【図３】
2013032647.tif 000005
【図６】
2013032647.tif 000006
【図７】
2013032647.tif 000007
【図８】
2013032647.tif 000008
【図９】
2013032647.tif 000009
【図１０】
2013032647.tif 000010
【図１１】
2013032647.tif 000011
【図１２】
2013032647.tif 000012
【図４】
2013032647.tif 000013
【図５】
2013032647.tif 000014